(57)【特許請求の範囲】
【請求項１】
台所のレンジフードの近傍に設けたセンサー、このセンサーで作動する消火器、及びこの消火器からの消火液が通るホース、並びに前記消火器作動用の作動部で構成した台所用の消火器装置であって、
前記センサーをレンジフードの近傍に配し、また前記ホースに台所のガスコンロと、前記レンジフードとに向って消火液を噴射する複数のノズルを設け、前記作動部が、レンジフードの近傍に設けた箱体と、この箱体に設けた穿孔杆と、この穿孔杆を可動するモータと、このモータを駆動するバッテリーと、当該穿孔杆の前進停止した前記消火器の作動位置を確保するラチェット機構とで構成され、該ラチェット機構を穿孔杆に設け、動作状態を確保する停止手段を設けたことを特徴とする台所用の消火器装置。
【発明の詳細な説明】
【０００１】
【発明の属する技術分野】
この発明は、台所の火災を防止する台所用の消火器装置に関する。
【０００２】
【従来の技術】
周知の如く、台所の火災で最も確率が高い火災としては、天ぷら料理の際と云われている。従って、天ぷら料理の際は十分に注意するが、この種の天ぷら油火災は、一寸した油断と、一瞬の隙に発生する蓋然性が高いこと、また一度発生すると、その消火に難渋すること、又は大火災になること、等が知られている。
【０００３】
この改良の一環として次のような文献がある。文献（１）は、特開平５−１７０号の自動消火装置の作動保障システムで、内容は、天井取付型自動消火装置において、ヒューズの切断により容器の外周を囲繞するニクロム線に電流が流れることにより火災を感知し、消化剤が噴霧される構成である。その特徴は、確実な消火と、消火装置によるガス供給停止等を意図する。また文献（２）は、特開平５−７１７８１号の消火装置付レンジフードで、内容は、レンジフードの下部に消火装置を収納し、この消火装置に噴射ノズルを固着した構成である。その特徴は、消火装置の交換の容易化、レンジフードの内部清掃の容易化等を意図する。さらに文献（３）は、特開平７−１３２１５１号のシステムキッチン用ガスコンロ火災自動消火装置で、レンジフード近傍の戸棚内に消火器を設け、センサーで火災を察知し、消火用の強化液をノズルより放射して消火する構成である。その特徴は、消火液を確実に噴射して消火すること、又はガス供給通路を遮断すること、等を意図する。
【０００４】
【発明が解決しようとする課題】
前記文献（１）〜（３）は、確実な消火が図れること、又はレンジフード等に取付け得るコンパクト、かつ取扱いの容易な消火装置を提供できること、等の特徴がある。しかし、ホース等の管体に設けたノズルの方向性が確保されず、ガスコンロのみの消火となり、片手落ちの感がある。またノズルの方向性を任意に変更できないので、例えば、レンジフード及び／又はガスコンロ等の寸法、設置位置又は状況に対応した設置を希望しても対応できないこと、等の問題がある。さらに密封押圧式の消火器では、押圧杆と封緘との連繋がスムーズでなく、液漏れ、力不足、放出の確実性等に欠けること等の課題も考えられる。
【０００５】
【課題を解決するための手段】
請求項１の発明は、ノズルの方向性を任意に変更し、例えば、レンジフード及び／又はガスコンロ等の寸法、設置位置又は状況に対応した設置を図ること、また密封押圧式の消火器における押圧杆と封緘との連繋をスムーズにすること、液漏れの回避、力不足、放出の確実性等を確保すること、消火器の開放を確実に行ない、消火液を確実に噴射すること、瞬時に噴射すること、又は緊急時の停電等においても確実、又は瞬時に作動すること、等を意図する。またコンパクトで使用の簡便な台所用の消火器装置を提供することを意図する。
【０００６】
請求項１は、台所のレンジフードの近傍に設けたセンサー、このセンサーで作動する消火器、及びこの消火器からの消火液が通るホース、並びに前記消火器作動用の作動部で構成した台所用の消火器装置であって、前記センサーをレンジフードの近傍に配し、また前記ホースに台所のガスコンロと、前記レンジフードとに向って消火液を噴射する複数のノズルを設け、前記作動部が、レンジフードの近傍に設けた箱体と、この箱体に設けた穿孔杆と、この穿孔杆を可動するモータと、このモータを駆動するバッテリーと、当該穿孔杆の前進停止した前記消火器の作動位置を確保するラチェット機構とで構成され、該ラチェット機構を穿孔杆に設け、動作状態を確保する停止手段を設けたことを特徴とする台所用の消火器装置である。
【０００７】
【０００８】
【０００９】
【００１０】
【００１１】
【発明の実施の形態】
本発明の使用の態様を説明する。消火装置本体を、レンジフード、又はその近傍の壁、梁等に取付ける。そして、ホースをレンジフード（各種のフードを含む）に取付けるが、この取付けの際に、入れ子式のホース（金属管、複合部材管、又は樹脂管等）の場合には、順次ホースを引出し、所定の長さを確保した後に、ノズルの方向を、台所のガスコンロと、レンジフート゛とに向って開口し、この方向を締付けリンクで固定する。尚、複数のノズルを、それぞれ個別に、ガスコンロと、レンジフードとに向って開口すること、又はこのエリアに噴射する開口寸法を確保すること、等の手段を採用する。ホースはレンジフードの全体、その一部に設けるか、又はその近傍に、適当な長さ取付ける。尚、一体もののホースは、前の箇所に適宜取付ける。またセンサーは、レンジフード、又はその近傍の壁、梁、ガスコンロ等の適所に１個又は数個設ける。
【００１２】
そして、万一、不幸にも火災が発生した場合には、センサーが作動して、モータが駆動することで、穿孔杆が降下して、封緘（シール及び／又はガスボンべの開口部）を解除（開口）すると、容器（タンク）内の消火液及び／又は消火用気体が、ノズルからガスコンロと、レンジフードとに向って噴射する。この消火液の噴射を介して火を消す。そして、この例では、穿孔杆はラチェット機構により、後退できないので、開放されたシール（封緘）及び／又は開口部は閉塞されず、誤って封鎖する危険性がなく、極めて安全かつ信頼性がある。
【００１３】
なお、本発明のバッテリーを電源とする例では、停電等の異常事態でも有効である。また電源のない所、電源確保が困難な所等、例えば、屋外、車庫等への設置も可能となり、汎用性の向上と、安全性の確保、又は犯罪防止等に役立つ利点がある。
【００１４】
【実施例】
以下、本発明の一実施例を説明する。
【００１５】
１はレンジフード２、又はその近傍の壁、梁（図示せず）等に取付けた消火装置本体で、この消火装置本体１は、台所Ｋのレンジフード２の近傍に設けたセンサー３、このセンサー３で作動する消火器４、及びこの消火器４からの消火液が通るホース５、並びに消火器４を作動する作動用の作動部６を主構成要素とする。
【００１６】
前記消火器４は、この例では、ガスボンべ及び吸込み用ホース等（図示せず）を備えた噴射式、又は押圧式、蓄圧式、各種の簡易形消火器（図示せず）等の各例が採用できる。その種類、構造、又は消化剤、消化液、ガス、水等の消火材料の如く、何れの消火方法も可能である。この一例では、図中４０はシール、４１は容器、４１ａは容器４１の開口部、４２は手動開閉具を示す。これらのシール４０、手動開閉具４２等は必要により設けられる。
【００１７】
またホース５の複数のノズル５０は、台所ＫのガスコンロＫ１と、レンジフード２とに向って消火液を噴射する。この複数のノズル５０には、開閉蓋を設けることも可能である。尚、ホース５は伸縮形式で、消火装置本体１の取付け口１００に着脱可能とし、締付けリンク５１により長さと、方向を決める。またホース５は、エンドレス式、筒状等でなる通常の形状であって、硬質、軟質等で構成される耐火性及び／又は耐震性等のホースも可能である。
【００１８】
さらに作動部６は、電源となるバッテリー６０と、このバッテリー６０で可動するモータ６１と、このモータ６１により降下する針６２ａを備えた穿孔杆６２と、この穿孔杆６２戻り防止用の歯部６２ｂと、この歯部６２ｂを係止する爪６２ｃとで構成されており、モータ６１の駆動により穿孔杆６２が降下して、封緘を解除すると、容器４１内の消火液及び／又は消火用気体が、ノズル５０からガスコンロＫ１と、レンジフード２とに向って噴射する。
【００１９】
図中１０はブザーで、センサー３により鳴る。１１は爪６２ｃを支持するべースで、消火装置本体１に設ける。１２はコード、１３はホース５の支持部材、１４は無線を示す。
【００２０】
【発明の効果】
請求項１の発明は、台所のレンジフードの近傍に設けたセンサー、このセンサーで作動する消火器、及びこの消火器からの消火液が通るホース、並びに前記消火器作動用の作動部で構成した台所用の消火器装置であって、前記センサーをレンジフードの近傍に配し、また前記ホースに台所のガスコンロと、前記レンジフードとに向って消火液を噴射する複数のノズルを設け、前記作動部が、レンジフードの近傍に設けた箱体と、この箱体に設けた穿孔杆と、この穿孔杆を可動するモータと、このモータを駆動するバッテリーと、当該穿孔杆の前進停止した前記消火器の作動位置を確保するラチェット機構とで構成され、該ラチェット機構を穿孔杆に設け、動作状態を確保する停止手段を設けたことを特徴とする台所用の消火器装置である。従って、ノズルの方向性を任意に変更し、例えば、レンジフード及び／又はガスコンロ等の寸法、設置位置又は状況に対応した設置ができること、また密封押圧式の消火器における押圧杆と封緘との連繋がスムーズにできること、液漏れの回避、力不足、放出の確実性等が確保できること、消火器の開放が確実に行なえること、消火液を確実に噴射できること、瞬時に噴射できること、又は緊急時の停電等においても確実、又は瞬時に作動ができること、等の特徴がある。またコンパクトで使用の簡便な台所用の消火器装置を提供できる実益がある。
【００２１】
【００２２】
【図面の簡単な説明】
【図１】本発明の概念図
【図２】本発明の使用の一例を示す模式図
【図３】ホースと取付け口の一例を示した一部省略の斜視図
【図４】ホースのノズル（噴射口）の一例を示した一部省略の斜視図
【図５】本発明の他の使用の一例を示す模式図
【符号の説明】
１        消火装置本体
１００      取付け口
２        レンジフード
３        センサー
４        消火器
４０      シール
４１      容器
４１ａ      開口部
４２      手動開閉具
５        ホース
５０      ノズル
５１      締付けリンク
６        作動部
６０      バッテリー
６１      モータ
６２      穿孔杆
６２ａ      針
６２ｂ      歯部
６２ｃ      爪
１０      ブザー
１１      べース
１２      コード
１３      支持部材
１４      無線
Ｋ        台所
Ｋ１      ガスコンロ
【図１】
0003763412.tif 000002
【図２】
0003763412.tif 000003
【図３】
0003763412.tif 000004
【図４】
0003763412.tif 000005
【図５】
0003763412.tif 000006